(57)【要約】【課題】キーを含む複数の収納物を収納するキーケースにおいて、キーケースからの取り出し方を複数の収納物間で互いに異ならせることにより、複数の収納物の中から目的の収納物を容易に取り出すことができるようにする。【解決手段】シート状部材１０を折り畳むことにより閉じられた空間が形成され、その空間内にキーを含む収納物を収納したキーケースであって、空間内には、その空間を複数の小空間に分割するセパレータ２０がシート状部材１０に揺動可能に固定して設けられ、小空間内には、それぞれ収納物を収納可能に構成されている。セパレータ２０にはフック３１を備えた取付金具３０が設けられ、フック３１にキーを結合可能としている。【選択図】図１
2015150069.tif 000002
【特許請求の範囲】
【請求項１】
シート状部材を折り畳むことにより閉じられた空間が形成され、その空間内にキーを含む収納物を収納したキーケースであって、
前記空間内には、その空間を複数の小空間に分割するセパレータが前記シート状部材に揺動可能に固定して設けられ、前記小空間内には、それぞれ収納物を収納可能に構成されているキーケース。
【請求項２】
請求項１において、
前記シート状部材と前記セパレータとの間には、前記小空間を閉鎖可能とする固定具を備えるキーケース。
【請求項３】
請求項１又は２において、
折り畳まれたとき内側に面する前記シート状部材の内面のうち、前記セパレータと対向する部分には、内部に空間を形成すると共に、前記折り畳み方向と交差する方向を前記空間への収納物の出し入れ方向とする出入口を形成されたポケットが設けられ、
前記セパレータの前記ポケットの出入口に対応する部位には前記ポケットへの収納物を揺動自在に取り付ける取付具が設けられているキーケース。
【発明の詳細な説明】
【技術分野】
【０００１】
本発明は、自動車用ドア、住宅用ドア、機械用ドア等の施解錠のためのキー、その他を収納するキーケースに関する。
【背景技術】
【０００２】
係るキーケースとしては、皮革、布等を折り畳んでキーを収納するものが汎用されている。その一例が下記特許文献１に開示されている。
【先行技術文献】
【特許文献】
【０００３】
【特許文献１】実用新案登録第３１４８５２６号公報
【発明の概要】
【発明が解決しようとする課題】
【０００４】
キーケースに複数のキーが収納されている場合、複数のキーの中から使用したいキーを取り出すことが容易ではない。なぜなら、キーケース内には複数のキーが区別されることなく同様の収納方法で収納されており、一つのキーを取り出そうとしたとき、他の全てのキーを一旦キーケースから取り出して、その中から目的のキーを目で見て選択する必要がある。
【０００５】
このような問題に鑑み本発明の課題は、キーを含む複数の収納物を収納するキーケースにおいて、キーケースからの取り出し方を複数の収納物間で互いに異ならせることにより、複数の収納物の中から目的の収納物を容易に取り出すことができるようにすることにある。
【課題を解決するための手段】
【０００６】
第１発明は、シート状部材を折り畳むことにより閉じられた空間が形成され、その空間内にキーを含む収納物を収納したキーケースであって、前記空間内には、その空間を複数の小空間に分割するセパレータが前記シート状部材に揺動可能に固定して設けられ、前記小空間内には、それぞれ収納物を収納可能に構成されている。
【０００７】
第１発明によれば、キーケース内の空間が複数の小空間に分割されているため、キーケースから所望の収納物を出し入れする際、目的の収納物が収納された小空間のみを開放して、他の収納物と区別して収納物の出し入れを行うことができる。
【０００８】
第２発明は、上記第１発明において、前記シート状部材と前記セパレータとの間には、前記小空間を閉鎖可能とする固定具を備える。
【０００９】
第２発明によれば、固定具により小空間を閉鎖可能とされているため、目的の収納物が収納された小空間以外の小空間を閉鎖することにより、目的の収納物を出し入れする際、他の収納物が意に反して出し入れされてしまうことを抑制することができる。
【００１０】
第３発明は、上記第１又は第２発明において、折り畳まれたとき内側に面する前記シート状部材の内面のうち、前記セパレータと対向する部分には、内部に空間を形成すると共に、前記シート状部材の折り畳み線に沿う方向を前記空間への収納物の出し入れ方向とする出入口を形成されたポケットが設けられ、前記セパレータの前記ポケットの出入口に対応する部位には前記ポケットへの収納物を揺動自在に取り付ける取付具が設けられている。
【００１１】
第３発明によれば、セパレータの取付具にポケットへの収納物を取り付け、その収納物をポケット内に収納することにより、ポケットと収納物を仲介物としてセパレータがシート状部材に固定される。このようにポケットを利用してセパレータをシート状部材に固定するので、固定のための固定具を省略することができる。
【図面の簡単な説明】
【００１２】
【図１】本発明の第１実施形態の斜視図である。
【図２】本発明の第２実施形態の斜視図である。
【図３】上記第２実施形態の端面図である。
【図４】本発明の第３実施形態の斜視図である。
【図５】本発明の第４実施形態の斜視図である。
【図６】本発明の第５実施形態の斜視図である。
【図７】上記第５実施形態の端面図である。
【図８】本発明の第６実施形態の側面図（Ａ）及び斜視図（Ｂ）である。
【図９】上記第６実施形態における取付金具及びフックの斜視図である。
【図１０】上記第６実施形態における取付金具部分の変形例を示す縦断面図である。
【図１１】本発明の第７実施形態の斜視図である。
【図１２】本発明の第８実施形態の斜視図である。
【図１３】本発明の第９実施形態の部分斜視図である。
【図１４】本発明の第１０実施形態の部分斜視図である。
【発明を実施するための形態】
【００１３】
図１は本発明の第１実施形態を示す。第１実施形態は、皮革製のシート状部材１０を二つ折りにして折り畳むことにより閉じられた空間が形成されるキーケースである。シート状部材１０の折り畳み部の内側には、セパレータ２０がその端縁部で縫い付けられてシート状部材１０に揺動自在に固定され、セパレータ２０によって上記空間が二つの小空間に分割されている。セパレータ２０の両面の端部には、それぞれ取付金具３０が取り付けられている（図１では一面側の取付金具３０のみが示され、他面側の取付金具は図示を省略されている）。取付金具３０は、キーケースとしては一般的なもので、ベース３２に５つのフック３１が揺動自在に結合されている。周知のようにフック３１によりキーが結合されると、キーがキーケースに結合されることになる。セパレータ２０の一面側の揺動外周側には一対の雄型ホック２１が互いに離間して設けられ、それらのホック２１に対応するシート状部材１０の面には一対の雌型ホック１１が設けられ、両ホック２１、１１を結合させることによりセパレータ２０の両側の小空間のうちの一方の小空間を閉じることが可能とされている。なお、両ホック２１、１１は本発明における固定具に相当する。
【００１４】
従って、セパレータ２０の一面側のフック３１には使用頻度の少ないキーを取り付けて小空間内にキーを収納して両ホック２１、１１を結合させて小空間を閉じ、他面側のフック（不図示）には使用頻度の多いキーを取り付けることにより、シート状部材１０の空間を開放したとき、使用頻度の少ないキーは閉じられた小空間内に収納したままで、使用頻度の多いキーのみをキーケースから取り出すことができる。ホック２１、１１により閉じられた小空間内に収納されたキーを取り出す場合は、ホック２１、１１の結合を外し、セパレータ２０の他面側をシート状部材１０に押し付けながらキーを取り出すことにより、使用頻度の多いキーと区別して使用頻度の少ないキーを取り出すことができる。
【００１５】
図２、３は本発明の第２実施形態を示す。第２実施形態は、上記第１実施形態の変形例で、第１実施形態に対し帯１２を有する点を特徴としている。その他の点は基本的に両者同一であるため同一部分についての再度の説明は省略する。帯１２は二つ折りされるシート状部材１０の折り畳み外周側端部の中央にカシメ１６により取り付けられている（図３参照）。帯１２の先端には雄型ホック１３が設けられ、シート状部材１０の折り畳み外周側端部のうち帯１２とは反対側の端部には雄型ホック１３と結合される雌型ホック１４が設けられている。このため、両ホック１３、１４を結合することによりシート状部材１０が折り畳まれた状態を維持するようにされる。
【００１６】
図４は本発明の第３実施形態を示す。第３実施形態は、上記第１実施形態の変形例で、第１実施形態に対しポケット５０を有する点を特徴としている。その他の点は基本的に両者同一であるため同一部分についての再度の説明は省略する。ポケット５０は、シート状部材１０と同様に皮革によって形成されたポケット表皮５１がセパレータ２０と共にシート状部材１０に縫合され、更に出入口となる一端辺を除く２つの辺部が一つのファスナ５２によって分離可能に結合されている。この結果、出入口はシート状部材１０の折り畳み線（シート状部材１０とセパレータ２０との結合線と一致する）に沿う方向がポケット５０内への収納物の出し入れ方向とされている。なお、図４の状態は、ファスナ５２のスライダが出入口となる一端辺側にスライド操作されていて、ポケット５０がその内側の空間を出入口を除いて閉じた状態としている。
【００１７】
セパレータ２０のポケット５０側に面する取付金具（本発明の取付具に相当）３０に連結されたキーをポケット５０内に収納してファスナ５２を出入口側にスライド操作してポケット５０内の空間を閉じることにより、折り畳まれたシート状部材１０を開いてキーを取り出す際に、ポケット５０に収納したキーは取り出されることはなく、反対側の面の取付金具（不図示）に連結されたキーを取り出すことができる。このようにした場合は、ポケット５０及びキーを仲介物としてセパレータ２０がシート状部材１０のポケット５０側面に固定された状態となる。そのため、第１実施形態において設けられていたホック１１、２１は、第３実施形態では省略されている。なお、ポケット５０には取付金具３０に連結されたキーではなく、その他のキー、或いはキー以外の小銭、カードなどを収納することもできる。
【００１８】
図５は本発明の第４実施形態を示す。第４実施形態は、上記第２実施形態（図２）の変形例で、第２実施形態に対しセパレータ２０を２枚にした点を特徴としている。その他の点は基本的に両者同一であるため同一部分についての再度の説明は省略する。第４実施形態では、第２実施形態のセパレータ２０と同様のセパレータ２０ａに並べてセパレータ２０ｂが設けられている。セパレータ２０ａには一面のみに取付金具３０が設けられ、セパレータ２０ｂにはその両面に取付金具３０が設けられている。セパレータ２０ａとセパレータ２０ｂとの間は雄雌結合されるホック２２、２３によって切り離し可能に互いに結合されている。
【００１９】
第４実施形態では、２枚のセパレータ２０ａ、２０ｂによって合計３つの取付金具３０が設けられており、第２実施形態に比べて多くのキーを収納可能とされている。セパレータ２０ａのシート状部材１０に面する一面側及びセパレータ２０ｂのセパレータ２０ａ側に面する一面側に、比較的使用頻度の低いキーを収納して各ホック１１、２１、２２、２３を結合し、セパレータ２０ｂのシート状部材１０に面する他面側に、比較的使用頻度の高いキーを収納することにより、折り畳まれたシート状部材１０を開いてキーを取り出す際、使用頻度の低いキーは閉じられた空間内に収納されて取り出されることはなく、使用頻度の高いキーのみを取り出すことができる。
【００２０】
図６、７は本発明の第５実施形態を示す。第５実施形態は、上記第２実施形態（図２）の変形例で、第２実施形態に対しシート状部材１０の大きさを大きくして、それを３つ折りにした点、並びに第２実施形態における帯１２に代えてシート状部材１０と一体に耳１５を設けた点を特徴としている。その他の点は基本的に両者同一であるため同一部分についての再度の説明は省略する。第５実施形態では、セパレータ２０を挟んでシート状部材１０を２つに折り畳んだ状態で、シート状部材１０の耳１５付きの先端側をセパレータ２０を挟んだ状態のシート状部材１０を包むように折り畳むことができるようにされている。この状態ではシート状部材１０の先端側に一体に形成された耳１５のホック１３はシート状部材１０の反対側の先端に設けられたホック１４に結合可能とされている。第５実施形態によれば、シート状部材１０を折り畳んでホック１３、１４を結合させた状態では、図７に示すようにキーを収容する空間がシート状部材１０によってしっかり包囲されて外部から収納されたキーが見えることはなく高級感のあるキーケースとすることができる。
【００２１】
図８は本発明の第６実施形態を示す。第６実施形態は、上記第１実施形態（図１）の変形例で、第１実施形態に対しセパレータ２０をシート状部材１０に結合させてポケット５０を形成した点、及びキーを連結する取付金具の構造を変更した点、並びにシート状部材１０の閉鎖構造を変更した点を特徴としている。その他の点は基本的に両者同一であるため同一部分についての再度の説明は省略する。ポケット５０にはマチが設けられて、ポケット５０の厚さが拡大されている。ポケット５０のうちファスナ５４が設けられる部分ではファスナ５４のテープ５３によってマチが構成されている。このマチに対応するようにシート状部材１０にも折り曲げ部が２箇所（２箇所のマチに対応）に形成され、厚さを拡大されたポケット５０を挟んでシート状部材１０を折り畳むことができるようにされている。取付金具４０は図９に示す構造とされており、取付金具４０のベース４２の先端がセパレータ２０の先端から突出して取り付けられ、ベース４２に対してフック４１が大きく揺動可能とされ、フック４１はセパレータ２０の両面のどちら側にも沿って位置することができるようにされている。そのため、一つの取付金具４０でセパレータ２０の両側に収納するキーを結合することができる。また、ポケット５０には厚みのある大きなもの、例えば自動車用キーレスエントリーシステムのスマートキーを収納することができる。なお、シート状部材１０の折り畳み外周端部には、第２実施形態（図２）と同様の帯１２が設けられており、セパレータ２０を包み込むようにシート状部材１０が折り畳まれたとき、帯１２の先端の雄型ホック１３がシート状部材１０の表面に固定されている雌型ホック（不図示）に結合して、シート状部材１０内面とセパレータ２０との間の空間を閉じる。図８（Ａ）ではポケット５０のマチ部を見易くするためにシート状部材１０の一部を表示していない。
【００２２】
図１０には、セパレータ２０と取付金具４０との取り付け方の変形例が示されている。この例では、セパレータ２０が厚さの薄い皮革によってそれぞれ構成されたセパレータ２０ｃ、２０ｄを貼り合わせて成り、セパレータ２０ｃ、２０ｄ間に取付金具４０のベース４２を挟んで取り付けている。取付金具４０を挟んだセパレータ２０ｃ、２０ｄの外側にはカシメ４３が設けられ、取付金具４０とセパレータ２０ｃ、２０ｄとを一体化している。なお、図１０ではフック４１の記載を省略している。
【００２３】
図１１は本発明の第７実施形態を示す。第７実施形態は、上記第１実施形態の変形例で、第１実施形態に対し、ポケット５０を設けた点、取付金具３０を取付金具４０に変更した点、並びにシート状部材１０を２つ折りから４つ折りに変更した点を特徴としている。その他の点は基本的に両者同一であるため同一部分についての再度の説明は省略する。ポケット５０は、シート状部材１０のセパレータ２０に対向する面に設けられ、皮革製のポケット表皮５１を、ポケット５０の出入口となる辺を除く３辺でシート状部材１０に縫合することにより構成されている。取付金具４０は図９に示すものと同一であり、セパレータ２０は、図１１では隠れている面側でシート状部材１０との間がホックにより分離可能に結合されている。また、シート状部材１０は４つ折りとされるため先端側が延ばされており、延ばされた先端には雄型ホック１３が設けられている。シート状部材１０は、ポケット５０とセパレータ２０とが対向するように２つ折りされた状態で、更にシート状部材１０の２つ折り部分を包んでシート状部材１０の先端側を折り畳み、シート状部材１０の表面に設けられた雌型ホック１４と雄型ホック１３とを結合して、フック４１に結合されたキーを外側から見えないように内部空間に収納することができる。図１１では、ポケット５０にスマートキーＳを収納した状態を例示している。
【００２４】
図１２は本発明の第８実施形態を示す。第８実施形態は、上記第７実施形態（図１１）の変形例で、第７実施形態に対し、ポケット５０を１つから２つに増やした点、並びにセパレータ２０を１枚から２枚に増やした点を特徴としている。その他の点は基本的に両者同一であるため同一部分についての再度の説明は省略する。第８実施形態においては第７実施形態におけるポケット５０と同様にポケット５０ａが設けられ、そのポケット５０ａからシート状部材１０上で離間した位置にもう一つのポケット５０ｂが設けられ、シート状部材１０が４つ折りされた際に２つのポケット５０間に折り目が２つ形成されるようにされている。その２つの折り目には、それらに沿うように２つのセパレータ２０ａ、２０ｂがそれぞれ揺動自在に縫合されている。第８実施形態によればポケット５０の数及びセパレータ２０の枚数が増加されているため、ポケット５０に収納されるものやセパレータ２０の取付金具４０に取り付けられるキー等を増加させることができる。
【００２５】
図１３は本発明の第９実施形態を示す。第９実施形態は、上記第７実施形態（図１１）の変形例で、第７実施形態に対し、ポケット５０の一部構造を変更した点を特徴としている。その他の点は基本的に両者同一であるため同一部分についての再度の説明は省略する。第９実施形態においては第７実施形態におけるポケット表皮５１がポケット表皮５５に変えられており、ポケット表皮５５は、その中央部に開口が設けられ、その開口に透明ビニール５６が被せられている。そのため、ポケット５０に自動車用のスマートキーＳが収納されたとき、スマートキーＳは収納されたままでも透明ビニール５６を通して外部から透視することができ、しかも透明ビニール５６の柔軟性を利用して透明ビニール５６の上からスマートキーＳを操作することができる。従って、スマートキーＳをキーケースから取り出すことなく操作して、スマートキーＳから電波を発信させ、自動車のドアのロック及びロック解除、並びにトランクリッドのロック解除を行うことができる。
【００２６】
図１４は本発明の第１０実施形態を示す。第１０実施形態は、上記第７実施形態（図１１）の変形例で、第７実施形態に対し、ポケット５０の裏面のシート状部材１０に変更を加えた点を特徴としている。その他の点は基本的に両者同一であるため同一部分についての再度の説明は省略する。第１０実施形態においては、シート状部材１０のポケット５０が設けられた側の内面とは反対の外表面で、ポケット５０に自動車用のスマートキーＳが収納されたとき自動車のドアのロック及びロック解除、並びにトランクリッドのロック解除を行うボタンと対応する部分に、それらボタンの機能を表す刻印１７を施している。刻印１７は皮革製のシート状部材１０の表面に焼印を施すことにより形成されている。そのため、ポケット５０にスマートキーＳを収納したキーケースのシート状部材１０の刻印１７部分を押圧操作すれば、皮革製のシート状部材１０は変形してスマートキーＳの各ボタンが操作され、スマートキーＳから電波を発信させ、自動車のドアのロック及びロック解除、並びにトランクリッドのロック解除を行うことができる。スマートキーＳがポケット５０内で移動できないようにポケット５０の大きさがスマートキーＳと同程度に形成されていれば、スマートキーＳの各ボタンと刻印１７とが対応する位置になり易い。しかし、スマートキーＳの各ボタンと刻印１７との位置が多少ずれたとしても、シート状部材１０の皮革の適度な剛性により所望の操作を行うことはできる。
【００２７】
以上、特定の実施形態について説明したが、本発明は、それらの外観、構成に限定されず、本発明の要旨を変更しない範囲で種々の変更、追加、削除が可能である。例えば、
１．セパレータのシート状部材への固定の仕方、固定位置は、空間を複数の小空間に分割するものであれば各種のものがある。
２．セパレータは３枚以上あっても良い。また、セパレータはシート状部材と同じ素材でなくても良いし、複数のセパレータが互いに違う素材で構成されても良い。更に、複数のセパレータがある場合、シート状部材に対する固定の仕方、固定位置が互いに異なっても良い。
３．上記実施形態では、キーはフック３１、４１により取り付けるようにしたが、キーの取り付けは各種の方法が適用できる。また、フック３１、４１を設ける場合、その数も１つでも複数でも良い。
４．固定具は、ホックでもファスナでも良い。
５．シート状部材及びセパレータには、小銭、カード、名刺等を入れる袋を一体に設けても良い。
６．上記実施形態では、シート状部材１０、セパレータ２０、ポケット表皮５１、５５を全て皮革により構成したが、布や紙としても良いし、違う素材の組合せとしても良い。
【符号の説明】
【００２８】
１０    シート状部材
１１    雌型ホック（固定具）
１２    帯
１３    雄型ホック
１４    雌型ホック
１５    耳
１６    カシメ
１７    刻印
２０、２０ａ、２０ｂ、２０ｃ、２０ｄ  セパレータ
２１    雄型ホック（固定具）
２２    雌型ホック
２３    雄型ホック
２４    雌型ホック
３０、４０  取付金具（取付具）
３１、４１  フック
３２、４２  ベース
４３    カシメ
５０、５０ａ、５０ｂ    ポケット
５１    ポケット表皮
５２    ファスナ
５３    テープ
５４    ファスナ
５５    ポケット表皮
５６    透明ビニール
Ｓ    スマートキー
【図１】
2015150069.tif 000003
【図２】
2015150069.tif 000004
【図３】
2015150069.tif 000005
【図４】
2015150069.tif 000006
【図５】
2015150069.tif 000007
【図６】
2015150069.tif 000008
【図７】
2015150069.tif 000009
【図８】
2015150069.tif 000010
【図９】
2015150069.tif 000011
【図１０】
2015150069.tif 000012
【図１１】
2015150069.tif 000013
【図１２】
2015150069.tif 000014
【図１３】
2015150069.tif 000015
【図１４】
2015150069.tif 000016